(57)【要約】      （修正有）【課題】平面が略矩形状のフレキシブルコンテナであって、被収容物を充填した状態にあっても優れた保形性を有し、吊り上げた場合においても、吊りベルトがコンテナ本体から外れることがなく、破袋することが抑制されたフレキシブルコンテナを提供する。【解決手段】可撓性素材からなる平面が略矩形状のコンテナ本体１ａと、コンテナ本体の四隅と係合するよう胴部１ｂから底面部１ｄに亘って設けられる吊りベルト２とで構成され、コンテナ本体内部の四隅に隔壁を備える。隔壁は、コンテナ本体の長辺及び短辺の端部を基点として、各辺の長さに対して略３分の１の長さの位置近傍に設けられ、吊りベルトの取り付け位置は、隔壁の取り付け位置よりも端部側であることが好ましい。【選択図】図１
0003198103.tif 000002
【実用新案登録請求の範囲】
【請求項１】
可撓性素材からなる平面が略矩形状のコンテナ本体と、前記コンテナ本体の四隅と係合するよう胴部から底面部に亘って設けられる吊りベルトとで構成され、
前記コンテナ本体は、その内部の四隅に隔壁を備えること
を特徴とするコンテナ。
【請求項２】
前記コンテナ本体は、
平面が長方形状のものであること
を特徴とする請求項１に記載のコンテナ。
【請求項３】
前記コンテナ本体は、
短辺の長さが、９５０ｍｍ〜１，１００ｍｍで、
長辺の長さが、１，１５０ｍｍ〜１，３５０ｍｍで、
高さが、９５０ｍｍ〜１，１００ｍｍであること
を特徴とする請求項１に記載のコンテナ。
【請求項４】
前記隔壁は、
前記コンテナ本体の長辺及び短辺の端部を基点として、各辺の長さに対して略３分の１の長さの位置の近傍に設けられること
を特徴とする請求項１〜３のいずれかに記載のコンテナ。
【請求項５】
前記吊りベルトの取り付け位置は、
前記隔壁の取り付け位置よりも端部側であること
を特徴とする請求項４に記載のコンテナ。
【請求項６】
前記吊りベルトの取り付け位置は、
前記コンテナ本体の長辺の端部を基点として、長辺の長さに対して略１／４の位置と、短辺の端部を基点として短辺の長さに対して略１／５の位置としたこと
を特徴とする請求項５に記載のコンテナ。
【請求項７】
前記上面部は、開閉自在の投入口を有し、
前記底面部は、開閉自在の排出口を有すること
を特徴とする請求項１〜６のいずれかに記載のコンテナ。
【請求項８】
前記投入口は、略長方形状を有し、
前記投入口の周辺部には、前記投入口の略中央に形成された開口部の各隅から対角線上に外方に向かってそれぞれ設けられた所要の長さのスリットにより区画された略台形状のフラップが設けられていること
を特徴とする請求項７に記載のコンテナ。
【請求項９】
前記隔壁は、
所要の大きさと形状を有する開口部を、一又は複数有すること
を特徴とする請求項１〜８のいずれかに記載のコンテナ。
【請求項１０】
前記吊りベルトは、前記上面部の各隅においてループ部を形成し、
一対のループ部は、持ち手によって連結されていること
を特徴とする請求項１〜９のいずれかに記載のコンテナ。
【考案の詳細な説明】
【技術分野】
【０００１】
この考案は、特に、穀物や各種原材料などの粉粒状物からなる被収容物を、収容して保管や輸送するのに好適なコンテナに関するものである。
より具体的には、被収容物を充填した状態にあっても、優れた保形性を有し、かつ十分な強度を有する平面が略矩形のフレキシブルコンテナに関するものである。
【背景技術】
【０００２】
従来、穀物、各種原材料などの粉粒状物を収容して保管、輸送するために、フレキシブルコンテナが広く使用されている。
このフレキシブルコンテナは、可撓性の素材、具体的には、ポリオレフィン系の合成樹脂（例えば、ポリエチレンや、ポリプロピレン）のフラットヤーンなどで織成した基布に、必要に応じてポリオレフィン系の合成樹脂によるラミネート加工を施したものを用いて、フレキシブルコンテナ本体を縫製し、前記基布などからなるベルト状の吊り部材（吊りベルト）を、フレキシブルコンテナ本体の胴部に縫着して構成されるものである。
【０００３】
このようなコンテナの一例が、特許文献１および２に開示されている。
【０００４】
例えば、特開２０００−１４２８８０号公報（特許文献１）においては、バッグ本体が角筒形を保つよう確実に保形されて、多くを整然と並設させることができ、安定するよう積層することのできるフレキシブルコンテナーバッグが提案されている。
【０００５】
このフレキシブルコンテナーバッグは、バッグ本体が、軸心回りに並設される複数枚の平坦なシート材を互いに結合させて成形された角筒形シートを備え、上記バッグ本体の内部で、上記軸心回りで隣り合うシート材同士で挟まれた隅部空間に位置しこれら両シート材に跨るように連結シートが設けられたものである。
【０００６】
さらに、特開２００９−２７４７２８号公報（特許文献２）においては、高い剛性を有する補強板や補強芯などを組み込むことなく、内容物を充填した状態での全体形状をできるだけ四角形状に保ち、運搬や保管する際に、空間を効率的に使用することのできるフレキシブルコンテナが提案されている。
【０００７】
前記コンテナは、コンテナ本体を、少なくとも底壁と側壁とを有する四角形状に形成するとともに、コンテナ本体を吊り下げるための吊りベルトを、それぞれ側壁の中心よりも向かって左側の領域で、側壁の外面に沿って略鉛直方向に配された左側吊りベルトと、それぞれ側壁の中心よりも向かって右側の領域で、側壁の外面に沿って略鉛直方向に配された右側吊りベルトとで構成し、左側吊りベルト及び右側吊りベルトを、底壁の底面と側壁の外面上部とでコンテナ本体に固定し、左側吊りベルトと右側吊りベルトを、それぞれ側壁の縁部よりも内側に入った領域で互いに連結させたものである。
【先行技術文献】
【特許文献】
【０００８】
【特許文献１】特開２０００−１４２８８０号公報（請求項１，図１，２）
【特許文献２】特開２００９−２７４７２８号公報（請求項１，図５）
【考案の概要】
【考案が解決しようとする課題】
【０００９】
従来のフレキシブルコンテナは、基布が可撓性を有するため、角型に製袋しても、内容物（被収容物）を充填すると内容物は外方向に広がろうとするため、胴部が膨らみ、丸型に変形する。
そのため、保管や輸送時に積載したとき、隣接する袋同士間に隙間ができ、積載量が少なくなるので積載効率が悪く、自立性が悪く不安定である。
したがって、内容物の保管効率が悪く、段積みが困難であるという問題点があった。
【００１０】
さらに、従来のフレキシブルコンテナでは、吊り上げた場合、特に、コンテナ本体の胴部と吊りベルトとの縫着部に大きな荷重が加わるので、荷重に耐えられずに、この縫着部から吊りベルトが取り外れたり、破袋するおそれもあった。
【００１１】
この考案はかかる現状に鑑み、平面が略矩形のフレキシブルコンテナであって、被収容物を充填した状態にあっても、優れた保形性を有し、吊り上げた場合においても、吊りベルトがコンテナ本体から取り外れることがなく、破袋することが抑制されたフレキシブルコンテナを提供することを目的とするものである。
【課題を解決するための手段】
【００１２】
前記目的を達成するため、この考案にかかる請求項１に記載の考案は、
可撓性素材からなる略矩形状のコンテナ本体と、前記コンテナ本体の四隅と係合するよう胴部から底面部に亘って設けられる吊りベルトとで構成され、
前記コンテナ本体は、その内部の四隅に隔壁を備えること
を特徴とするコンテナである。
【００１３】
この考案の請求項２に記載の考案は、
請求項１に記載のコンテナにおいて、
前記コンテナ本体は、
平面が長方形状のものであること
を特徴とするものである。
【００１４】
この考案の請求項３に記載の考案は、
請求項１に記載のコンテナにおいて、
前記コンテナ本体は、
短辺の長さが、９５０ｍｍ〜１，１００ｍｍで、
長辺の長さが、１，１５０ｍｍ〜１，３５０ｍｍで、
高さが、９５０ｍｍ〜１，１００ｍｍであること
を特徴とするものである。
【００１５】
この考案の請求項４に記載の考案は、
請求項１〜３のいずれかに記載のコンテナにおいて、
前記隔壁は、
前記コンテナ本体の長辺及び短辺の端部を基点として、各辺の長さに対して略３分の１の長さの位置の近傍に設けられること
を特徴とするものである。
【００１６】
この考案の請求項５に記載の考案は、
請求項４に記載のコンテナにおいて、
前記吊りベルトの取り付け位置は、
前記隔壁の取り付け位置よりも端部側であること
を特徴とするものである。
【００１７】
この考案の請求項６に記載の考案は、
請求項５に記載のコンテナにおいて、
前記吊りベルトの取り付け位置は、
前記コンテナ本体の長辺の端部を基点として、長辺の長さに対して略１／４の位置と、短辺の端部を基点として短辺の長さに対して略１／５の位置としたこと
を特徴とするものである。
【００１８】
この考案の請求項７に記載の考案は、
請求項１〜６のいずれかに記載のコンテナにおいて、
前記上面部は、開閉自在の投入口を有し、
前記底面部は、開閉自在の排出口を有すること
を特徴とするものである。
【００１９】
この考案の請求項８に記載の考案は、
請求項７に記載のコンテナにおいて、
前記投入口は、略長方形状を有し、
前記投入口の周辺部には、前記投入口の略中央に形成された開口部の各隅から対角線上に外方に向かってそれぞれ設けられた所要の長さのスリットにより区画された略台形状のフラップが設けられていること
を特徴とするものである。
【００２０】
この考案の請求項９に記載の考案は、
請求項１〜８のいずれかに記載のコンテナにおいて、
前記隔壁は、
所要の大きさと形状を有する開口部を、一又は複数有すること
を特徴とするものである。
【００２１】
この考案の請求項１０に記載の考案は、
請求項１〜９のいずれかに記載のコンテナにおいて、
前記吊りベルトは、前記上面部の各隅においてループ部を形成し、
一対のループ部は、持ち手によって連結されていること
を特徴とするものである。
【考案の効果】
【００２２】
この考案にかかるコンテナにおいては、その内部の四隅に隔壁が設けられているので、被収容物（充填物）の充填時における、コンテナ本体の外方向への膨らみや変形が抑制されるので、より保形性に優れたものとなる。
【００２３】
特に、前記隔壁を、前記コンテナ本体の長辺及び短辺の端部を基点として、各辺の長さに対して略３分の１の長さの位置の近傍に設けた場合には、より優れた保形性を有するコンテナとすることができる。
【００２４】
さらに、この考案にかかるコンテナにおいては、コンテナを吊り上げる際に使用される吊りベルトが、前記コンテナの四隅と係合するよう、好ましくは前記隔壁の取り付け位置よりも端部側に、胴部から底面部に亘って設けられている。
したがって、この考案にかかるコンテナは、吊り上げた場合においても、吊りベルト取り外れることがなく、破袋することが抑制される。
【００２５】
特に、前記吊りベルトを、前記コンテナ本体の長辺の端部を基点として、長辺の長さに対して略１／４の位置と、短辺の端部を基点として短辺の長さに対して略１／５の位置とに設けた場合には、より優れた強度を有するコンテナとすることができる。
【００２６】
さらにまた、この考案にかかるコンテナにおいては、前記投入口を、略長方形状にするとともに、前記投入口の周辺部に、前記投入口の略中央に形成された開口部の各隅から対角線上に外方に向かってそれぞれ設けられた所要の長さのスリットにより区画された略台形状のフラップを設けた場合には、前記投入口を大きくとることができるので、被収容物の充填が容易になる。
【００２７】
さらにまた、この考案にかかるコンテナを構成するコンテナ本体は、短辺の長さを９５０ｍｍ〜１，１００ｍｍ、長辺の長さを１，１５０ｍｍ〜１，３５０ｍｍ、高さを９５０ｍｍ〜１，１００ｍｍで構成した場合には、前記コンテナは、保形性と積載効率において特に優れたものとなる。
【図面の簡単な説明】
【００２８】
【図１】この考案にかかるコンテナの一実施形態を示した斜視図である。
【図２】図１に示すコンテナの正面図である。
【図３】図１に示すコンテナの側面図である。
【図４】図１に示すコンテナの上面図である。
【図５】図１に示すコンテナの底面図である。
【図６】図１に示すコンテナの横断面図である。
【図７】この考案にかかるコンテナに用いられる隔壁の一実施形態を示した正面図である。
【考案を実施するための形態】
【００２９】
以下、この考案にかかるコンテナの実施の形態を、添付の図面に基づいて具体的に説明する。
なお、この考案のコンテナは、図示の実施例に限定されるものではなく、考案の要旨を変更しない範囲内で改良を加えることができるものである。
【００３０】
この考案にかかるコンテナ１は、図１に示すように、平面が略矩形状で、胴部１ｂと、上面部１ｃと、底面部１ｄを有するコンテナ本体１ａから構成されている。
このコンテナ本体１ａは、可撓性の素材、例えば、ポリオレフィン系の合成樹脂（例えば、ポリエチレンや、ポリプロピレン）のフラットヤーン（扁平な糸）などで織成した基布を原反に用いて縫製などにより形成されるものである。
例えば、前記原反で角筒又は円筒状の胴部１ｂを作製し、その上下に略方形に裁断した原反を縫着や熱融着などにより取り付けて、それぞれ上面部１ｃと底面部１ｄとし、その上面部１ｃに開閉自在の投入口１ｅを設け、前記底面部１ｄに開閉自在の排出口１ｆ（図５参照）を設けて、コンテナ本体１ａを製造する。
なお、この実施例においては、コンテナ本体１ａは、平面が長方形状である。
このような形状とすることによって、鉄道運送用貨物コンテナなどへの積載に際して、効率よく収まるという効果が得られる。
【００３１】
前記投入口１ｅ及び排出口１ｆの形状については、円形状や、方形状などの適当な形状を選択することができる。
この実施例においては、投入口１ｅは、略長方形状を有し、その周辺部には、略中央に形成された開口部１ｇの各隅から対角線上に外方に向かってそれぞれ設けられた所要の長さのスリットＹにより区画された略台形状のフラップ１ｈが設けられている。
被収容物の充填に際しては、投入口１ｅが開口するよう前記フラップ１ｈを上方に持ち上げることになるが、このような構成によれば、投入口１ｅを大きくとることができるので、被収容物の充填が容易になる。
なお、排出口１ｆは、略円形状を有し、同様に、その周辺部には、略中央に形成された開口部１ｉの各隅から対角線上に外方に向かってそれぞれ設けられた所要の長さのスリットＹにより区画された略扇状のフラップ１ｊが設けられている。
さらに、この実施例においては、投入口１ｅには、被収容物を充填し易くするため投入筒６が設けられ、排出口１ｆには、被収容物を排出し易くするため排出筒７が設けられている。
【００３２】
この実施例においては、このコンテナ本体１ａは、短辺の長さを９５０ｍｍ〜１，１００ｍｍ、長辺の長さを１，１５０ｍｍ〜１，３５０ｍｍ、高さを、９５０ｍｍ〜１，１００ｍｍとしている。
このようなコンテナ本体１ａで構成されるコンテナ１は、吊り上げ時であっても形状が維持されるので、より高い保形性と積載効率を有する。
【００３３】
さらに、この実施例においては、コンテナ１は、ポリプロピレンのフラットヤーンで織成した基布を原反に用いてコンテナ本体１ａを縫製し、ポリプロピレンの、前記基布よりも強固な織成方法により織成した基布で構成されている吊りベルト２を、コンテナ本体１ａに縫着により取り付けて構成されている。
【００３４】
前記コンテナ本体１ａを構成する基布や、これに取り付けられる吊りベルトなどについては、糸くずなどのごみの発生の抑制や、強度の向上を目的として、必要に応じて、ポリオレフィン系の合成樹脂（例えば、ポリエチレン）によるラミネート加工を施してもよい。
この実施例においては、前記投入口１ｅ及び排出口１ｆの周辺部に設けられたフラップ１ｈ，１ｊと隔壁５の両面に対して、ポリエチレンによるラミネート加工を施してある。
【００３５】
前記投入口１ｅ及び排出口１ｆの開閉手段は、公知の手段を用いることができる。
この実施例においては、図４及び５に示すように、前記投入口１ｅ及び排出口１ｆの周辺部に設けられたフラップ１ｈ，１ｊの上縁部に沿ってコードストッパ４が装着され、このコードストッパ４を操作してコード４ａ，４ａを引締めることにより、前記投入口１ｅ及び排出口１ｆの開口部を閉止することができるようにしてある。
【００３６】
この考案においては、図６に示すように、前記コンテナ本体１ａの四隅には、隔壁５が設けられる。
このような構成によって、被収容物（充填物）の充填時におけるコンテナ本体１ａの外方向への膨らみや変形が抑制されるので、コンテナ本体１ａは、より保形性に優れたものとなる。
したがって、整然と配置・積載することができるので、積載効率が高く、積載・保管スペースを有効活用することができる。
前記隔壁５は、保形性の観点から、コンテナ本体１ａの長辺及び短辺の端部を基点として、好ましくは各辺の長さに対して略３分の１の長さの位置の近傍に、縫着や熱融着などによって取付けられる。
なお、この実施例においては、前記隔壁５は、コンテナ本体１ａ内において、その長辺の端部を基点として長辺の長さ１，２６０ｍｍに対して４３０ｍｍの位置と、短辺の端部を基点として短辺の長さ１，０００ｍｍに対して、３３０ｍｍの位置との間に架設されている。
【００３７】
この考案にかかるコンテナに用いられる前記隔壁５には、図７に示すように、適当な位置に、所要の大きさと形状を有する開口部５ａを一又は複数、設けることができる。
この開口部５ａは、本体内部及びその隅に形成された空間部Ｓと連通するもので、コンテナ１に収容される被収容物は、開口部５ａを通過して四隅（空間部Ｓ内）にも充填されるので、コンテナ本体１ａ内部のコーナースペースを有効活用することができる。
【００３８】
さらに、図１〜４に示されているように、前記コンテナ本体１ａには、吊りベルト２が設けられる。
この吊りベルト２は、一本のベルト状のもので、四隅と係合するよう、胴部１ｂから底面部１ｄに亘って設けられている。
このような構成によって、吊りベルト２が取外れたり、コンテナ本体１ａが破袋することが抑制される。
なお、この実施例においては、前記吊りベルト２は、コンテナ本体１ａに縫着されたものであるが、熱融着など他の公知の手段を用いて取り付けることもできる。
【００３９】
前記吊りベルト２の取り付け位置は、十分な強度を維持する観点から、前記隔壁５の取り付け位置Ｘよりも端部側であることが好ましい。
この実施例においては、前記吊りベルト２は、コンテナ本体１ａの長辺の端部を基点として長辺の長さに対して略１／４の位置と、短辺の端部を基点として短辺の長さに対して１／５の位置を取り付け位置とした。
【００４０】
さらに、この実施例においては、各吊りベルト２は、上面部１ｃの各隅においてループ部２ａ，２ｂを形成し、一対のループ部２ａ，２ｂが、持ち手３によって連結されている。
このような構成により、高さに余裕がない場所であっても、前記持ち手３を利用して、コンテナ１の積み付けや、運搬などを行うことが容易になる。
【００４１】
この考案にかかるコンテナの被収容物（内容物）としては、穀物（米など）、各種原材料などの粉粒状物が例示されるが、これらに限定されることはない。
【産業上の利用可能性】
【００４２】
この考案にかかるコンテナは、被収容物、特に穀物、各種原材料などの粉粒状物を収容して保管、輸送するためのコンテナに関するもので、この被収容物を充填した状態にあっても優れた保形性を有し、かつ十分な強度を有するので、積載効率が良く、吊り上げた場合においても吊りベルトが取外れたり、破袋することが抑制されている。
したがって、特に運輸業界において幅広く利用されるものである。
【符号の説明】
【００４３】
１          コンテナ
１ａ        コンテナ本体
１ｂ        胴部
１ｃ        上面部
１ｄ        底面部
１ｅ        投入口
１ｆ        排出口
１ｇ        開口部
１ｈ        フラップ
１ｉ        開口部
１ｊ        フラップ
２          吊りベルト
２ａ，２ｂ  ループ
３          持ち手
４          コードストッパ
４ａ        コード
５          隔壁
５ａ        開口部
６          投入筒
７          排出筒
Ｓ          空間部
Ｘ          隔壁の取り付け位置
Ｙ          スリット
【図１】
0003198103.tif 000003
【図２】
0003198103.tif 000004
【図３】
0003198103.tif 000005
【図４】
0003198103.tif 000006
【図５】
0003198103.tif 000007
【図６】
0003198103.tif 000008
【図７】
0003198103.tif 000009
【手続補正書】
【提出日】平成27年4月7日(2015.4.7)
【手続補正１】
【補正対象書類名】実用新案登録請求の範囲
【補正対象項目名】全文
【補正方法】変更
【補正の内容】
【実用新案登録請求の範囲】
【請求項１】
可撓性素材からなる平面が略矩形状のコンテナ本体と、前記コンテナ本体の四隅と係合するよう胴部から底面部に亘って設けられる吊りベルトとで構成され、
前記コンテナ本体は、その内部の四隅に隔壁を備えること
を特徴とするコンテナ。
【請求項２】
前記コンテナ本体は、
平面が長方形状のものであること
を特徴とする請求項１に記載のコンテナ。
【請求項３】
前記コンテナ本体は、
短辺の長さが、９５０ｍｍ〜１，１００ｍｍで、
長辺の長さが、１，１５０ｍｍ〜１，３５０ｍｍで、
高さが、９５０ｍｍ〜１，１００ｍｍであること
を特徴とする請求項１に記載のコンテナ。
【請求項４】
前記隔壁は、
前記コンテナ本体の長辺及び短辺の端部を基点として、各辺の長さに対して略３分の１の長さの位置の近傍に設けられること
を特徴とする請求項１〜３のいずれかに記載のコンテナ。
【請求項５】
前記吊りベルトの取り付け位置は、
前記隔壁の取り付け位置よりも端部側であること
を特徴とする請求項４に記載のコンテナ。
【請求項６】
前記吊りベルトの取り付け位置は、
前記コンテナ本体の長辺の端部を基点として、長辺の長さに対して略１／４の位置と、短辺の端部を基点として短辺の長さに対して略１／５の位置としたこと
を特徴とする請求項５に記載のコンテナ。
【請求項７】
前記コンテナ本体の上面部は、開閉自在の投入口を有し、
前記コンテナ本体の底面部は、開閉自在の排出口を有すること
を特徴とする請求項１〜６のいずれかに記載のコンテナ。
【請求項８】
前記投入口は、略長方形状を有し、
前記投入口の周辺部には、前記投入口の略中央に形成された開口部の各隅から対角線上に外方に向かってそれぞれ設けられた所要の長さのスリットにより区画された略台形状のフラップが設けられていること
を特徴とする請求項７に記載のコンテナ。
【請求項９】
前記隔壁は、
所要の大きさと形状を有する開口部を、一又は複数有すること
を特徴とする請求項１〜８のいずれかに記載のコンテナ。
【請求項１０】
前記吊りベルトは、前記コンテナ本体の上面部の各隅においてループ部を形成し、
一対のループ部は、持ち手によって連結されていること
を特徴とする請求項１〜９のいずれかに記載のコンテナ。
【手続補正２】
【補正対象書類名】明細書
【補正対象項目名】００１８
【補正方法】変更
【補正の内容】
【００１８】
この考案の請求項７に記載の考案は、
請求項１〜６のいずれかに記載のコンテナにおいて、
前記コンテナ本体の上面部は、開閉自在の投入口を有し、
前記コンテナ本体の底面部は、開閉自在の排出口を有すること
を特徴とするものである。
【手続補正３】
【補正対象書類名】明細書
【補正対象項目名】００２１
【補正方法】変更
【補正の内容】
【００２１】
この考案の請求項１０に記載の考案は、
請求項１〜９のいずれかに記載のコンテナにおいて、
前記吊りベルトは、前記コンテナ本体の上面部の各隅においてループ部を形成し、
一対のループ部は、持ち手によって連結されていること
を特徴とするものである。